(57)【要約】      （修正有）【課題】従来、窓枠は、その材料に関係なく全て不透明であった。従って、窓外の景観が窓枠によって区切られ、又不透明なクレセントに邪魔されるという問題点があった。これらの問題点を解決し、窓枠とクレセントとを透明にして、あたかも横長又は縦長の一幅の絵のように幅広く見える透明な窓を提供すること。及び透明な窓枠により、微かに変化した景観の色を補い、微かでも元の色に近づけようとする、透明な窓枠に貼り付け用の微着色した透明な薄いシートを提供する。【解決手段】窓枠１１とクレセント１３とを透明にする。微着色した透明な薄いシートを貼り付ける。【選択図】図１
2015190104.tif 000002
【特許請求の範囲】
【請求項１】
透明な材料で構成した透明な窓枠（１１）。
【請求項２】
透明な材料が透明なプラスチックである、請求項１に記載の透明な窓枠（１１）。
【請求項３】
窓障子の移動方向に平行な方向の窓枠（１１）を不透明にした、請求項１又は請求項２に記載の透明な窓枠（１１）。
【請求項４】
連続した窓障子の隣接した窓枠（１１）に垂直な窓枠（１１）を不透明にした、請求項１又は請求項２に記載の透明な窓枠（１１）。
【請求項５】
窓枠（1１）の角に丸みを付けた、請求項１〜請求項4のいずれか１項に記載の透明な窓枠（１１）。
【請求項６】
クレセント（１３）を窓枠（１１）の上部若しくは下部又は上部と下部との両方に取り付けた、請求項１〜請求項５のいずれか１項に記載の透明な窓枠（１１）。
【請求項７】
噛み合せ部の部品を金属で構成し、他の部品を透明なプラスチックで構成した窓用のクレセント（１３）。
【請求項８】
全ての部品を透明なプラスチックで構成した窓用のクレセント（１３）。
【請求項９】
片面に粘着剤（８１）を塗布した、微着色した透明な薄いシートの粘着剤（８１）塗布面を剥離紙（８２）に貼り合わせた、透明な窓枠（１１）に貼付け用の微着色材シート（８）。
【発明の詳細な説明】
【技術分野】
【０００１】
本発明は、透明な窓枠、透明なクレセント及び微着色材シートに関する。詳しくは、窓枠を透明にして、窓枠に遮られることなく、窓外の景観を幅広く、あたかも横長の一幅の絵のように見えるようにするもの及び透明な窓枠に取り付ける、戸締り用の透明なクレセント及び透明な窓枠に貼付け用の微着色材シートに関する。
【背景技術】
【０００２】
従来、窓枠は、その材料が金属、木材、プラスチック等に関係なく、全て不透明であった。窓は、透明な窓ガラスに不透明な窓枠をはめたものが常識であった。即ち、窓枠は、不透明なものというのが定着していた。従って、２枚構成の引違い窓では、窓外の景観が日の字を横にしたように２つの枠で区切られ、４枚構成の窓では、目の字を横にしたものよりも１つ多い４つに区切られて見えていた。なお、本明細書では、窓枠は、窓ガラスの周囲を固定するための枠をいう。
【０００３】
引違い窓を開けても、２枚構成の窓では、片方の枠が無くなるだけでほとんど変わらず、４枚構成の窓では、目の字を横にしたものの中央部を広くした３つに切られて見えるだけで、ほとんど変わらなかった。
【０００４】
最近、エコのため二重窓にすることが勧められているが、二重窓用の窓枠には、プラスチック製のものが普及している。又樹脂サッシとして、断熱効果をうたった硬質塩化ビニールのプラスチック製のものが普及しており、プラスチックで窓枠を製造する技術は確立している。透明なプラスチックもいろいろ生産されていて、アクリル樹脂、ポリエチレンテレフタレート（ＰＥＴ）樹脂、ポリカーボネ―ト樹脂、塩化ビニール樹脂、ＥＶＡ、ポリプロピレン、ＡＢＳ樹脂、ポリアミド樹脂等強度、耐候性、耐久性のよいものも多く生産されている。
【０００５】
主として、引違い窓及び上げ下げ窓の窓枠を対象にするが、他の種類の窓の窓枠でもよい。例えば、折畳み窓、オーニング窓等がある。更に、建物用の窓の他、冷蔵ショーケース・陳列ケース等のショーケース類の窓の窓枠に適用してもよい。
【０００６】
戸締りのため窓を開かなくする錠であるクレセントは、現在使用中のものは、不透明なので、このまま使用する場合は、目立たないように窓枠の上部や下部に取り付ける。
【０００７】
現行のクレセントも大部分の部品は、プラスチックのものがあり、透明なプラスチックに置換すれば大部分が透明になる。掛け金部分（クレセント受とクレセント勝手［三日月状の半円状に回すもの］）は、強度と耐久性から金属が使用されているが、強度大の材質のプラスチックを選び、厚みを増すなど形状面の対策をすれば、透明なプラスチックを使用することもできる。
【０００８】
透明な窓枠に関する先行技術文献は、見付けていないが、類似技術の特許文献1の「冷蔵ショーケース」公報では、上縁サッシュを透明にして、店舗内天井照明で庫内を明るくして展示効果の向上を図っている。但し、本発明の窓枠に相当する透明体扉の枠は、通常通りの不透明のままである。従って、本発明の先行技術ではない。
【先行技術文献】
【特許文献】
【０００９】
【特許文献１】特開２００１―８２８６２号「冷蔵ショーケース」公報
【発明の概要】
【発明が解決しようとする課題】
【００１０】
従来、窓枠は、その材料に関係なく全て不透明であった。従って、窓外の景観が窓枠によって区切られて見えるという問題点があった。今まで当たり前と考えて、問題視していなかったが、視界を窓枠、特に２枚以上の窓の窓枠で遮られることは、本来見られる筈の窓外の幅広い景観を窓枠で区切って、阻害していたことになる。
【００１１】
窓枠は、最初木材で作られ、その後かなり経過後、鉄やアルミニウムの金属でも作られるようになった。この２つの材料で作られた期間が長く、最近になって、プラスチックでも作られるようになった。木材、金属の２つ共、不透明であり、この２つの不透明材料で作られた期間が余りにも長かったために、窓枠は不透明なものという考えが定着したものと考えられる。言わば固定観念が定着したものと考えられる。
【００１２】
最近、プラスチック製の窓枠が作られているが、外観は木材そっくりや木材に塗装したものそっくりに作られている。窓枠が木材や金属の不透明材料で作られた歴史が長かったがために、窓枠は不透明なものとの固定観念が定着したものと考えられる。
【００１３】
透明な窓枠に関して、先行技術を相当入念に探したが、見出せなかった。今まで透明な窓枠について、検討した者がいなかったということは、それだけ窓枠は不透明なものとの固定観念が強固である証拠ではないかと考えられる。ペットボトルが透明なプラスチックであることは、日常誰でも目にすることである。当業者であれば、プラスチック製の窓枠が普及し、その材料であるプラスチックには、無色透明なものが多いということは、知識として十分持っている筈である。このことから、透明な窓枠を着想・発想することが、いかに困難であったかという裏付けになるものと考えられる。透明な窓枠を容易に考え付くものなら、先行技術があるはずである。
【００１４】
従来のクレセントは、固定用の金属部分も、金属又はプラスチック製の柄の部分（回転させる為の部分）も不透明である。
【００１５】
窓枠を透明にしても、クレセントが不透明であれば、小さくても目障りになり、窓外の景観を阻害することになる。
【００１６】
透明なプラスチックで構成した窓枠でも、場合によっては、微かに色を吸収して、ガラスを通過した光と比べると、透過光が薄まるという問題が生じることがある。
【００１７】
本発明が解決しようとする課題は、これらの問題点を解決し、窓枠とクレセントとを透明にして、窓外の景観を不透明な窓枠によって区切られ、不透明なクレセントに邪魔されることなく、あたかも横長の一幅の絵のように幅広く見える透明な窓枠を提供することである。更には、隣接した窓枠を透明にし、これに垂直な窓枠を不透明にした窓枠では、大半の窓枠が、従来品のままでよいことになり、生産効率が向上する他、壁や柱にマッチした窓枠を提供すること。及び透明な窓枠により、微かに変化した景観の色を補い、微かでも元の色に近付けるための、透明な窓枠に貼り付け用の微着色材シートを提供することである。
【課題を解決するための手段】
【００１８】
本発明は、窓枠及びクレセントを透明にすることにより、窓外の景観を従来の不透明な窓枠によって区切られ、不透明なクレセントに邪魔されることなく、あたかも横長の一幅の絵のように、幅広く見えるようにするもの及び透明な窓枠により、微かに変化した景観の色を補い、微かでも元の色に近づけようとするものである。
【００１９】
請求項１に係る透明な窓枠１１は、透明な材料で構成したものである。
【００２０】
透明は、厳密な意味で無色透明でなくても、僅かに有色の透明でもよい。透明な材料で、窓枠に適したものであれば、何でもよい。本発明は、窓枠の従来の不透明な材料を単に透明な材料に置換しただけのものではない。透明な材料に置換することにより、窓外の景観があたかも幅広の一幅の絵のように非常によくなるという、大きな効果を挙げるためにしたものである。
【００２１】
窓枠１１の材料は、透明であれば何でもよい。現在、透明な窓枠１１に使用できる材料は、プラスチックであるが、将来、ガラス、強化ガラス等プラスチック以外のもので、透明で窓枠１１に使用可能なものができれば、何でもよい。
【００２２】
窓全体を透明にするため、窓ガラス１２を窓枠１１に固定する目地材１４も透明にする必要がある。現在、目地材１４には、弾性のある着色したプラスチック又はゴムの押し出し成形物が使用されている。ＥＶＡ、可塑剤配合のＰＶＣ等のプラスチックを使用すれば、無色透明の弾性のあるプラスチック押出成形物が得られる。
【００２３】
請求項２に係る透明な窓枠１１は、透明な材料が透明なプラスチックである、請求項１に記載のものである。
【００２４】
プラスチックは、非常に進歩しており、透明で窓枠１１に適したプラスチックもいろいろ生産されている。その中で耐久性、加工性、価格を考慮して選べばよい。例えば、前記のように、ポリカーボネート、アクリル樹脂、ポリエチレンテレフタレート（ＰＥＴ）、ポリプロピレン、ＰＶＣ（ポリ塩化ビニール）、ＡＢＳ樹脂、ポリアミド樹脂等がある。窓枠１１の形状は、従来技術の窓枠１１のものと同じでよい。
【００２５】
請求項３に係る透明な窓枠１１は、窓障子（本明細書では、窓ガラス１２の周囲を窓枠１１で固定したものを窓障子とする。）の移動方向に平行な窓枠１１を不透明にした、請求項１又は請求項２に記載のものである。
【００２６】
引違い窓のときは、窓障子は水平方向に移動するので、水平方向の窓枠１１を不透明にし、上げ下げ窓のときは、垂直方向に移動するので、垂直方向の窓枠１１を不透明にしたものである。
【００２７】
引違い窓は、一般に２〜４枚の窓障子が水平方向に並んでいるが、この内、上下にある水平方向の窓枠１１は、不透明でもその幅が狭く、鴨居、敷居に接しており、窓外の景観を遮る量は少なく、窓外の景観に与える影響は少ないので、垂直方向の窓枠１１のみを透明にしたものである。
【００２８】
上げ下げ窓は、２枚の窓障子が上下方向に並んでいるが、この内左右にある垂直方向の窓枠は、不透明でもその幅が狭く、窓外の景観を遮る量は少なく、窓外の景観に与える影響は少ないので、水平方向の窓枠１１のみを透明にしたものである。
【００２９】
請求項４に係る透明な窓枠１１は、連続した窓障子の隣接した窓枠１１に対して垂直な窓枠１１を不透明にした、請求項１又は請求項２に記載のものである。隣接した窓枠１１とは、隣り合った窓枠１１のことである。
【００３０】
引違い窓、折畳み窓等では、隣接した窓枠１１は垂直方向であり、これに垂直な窓枠１１即ち、水平方向の窓枠を不透明にする。オーニング窓では隣接した窓枠は水平方向であり、これに垂直な両端の垂直な窓枠１１を不透明にする。
【００３１】
請求項５に係る透明な窓枠１１は、窓枠１１の角に丸みを付けた、請求項１〜請求項４のいずれか１項に記載のものである。
【００３２】
透明な材料を使用しても、窓枠１１の角が尖っていると、窓外の景観を見るときに、窓枠１１の角が目立ち、線状に見えるので、目立たぬように丸みを付けたものである。丸みを付けるとは、いわゆるＲを付けることで、断面形状の角を曲線にすることである。Ｒ(半径)の大小は、試行錯誤法で決めるとよい。
【００３３】
試みにＲ＝３ｍｍにしてみると、角は目立たない。Ｒを大にすると、角は目立たなくなるが、窓枠１１として不自然になる。Ｒ＝２０ｍｍにしてみたが、違和感はない。なお、これらの数値は、窓枠１１の形状を制約するものではない。
【００３４】
請求項６に係る透明な窓枠１１は、クレセント１３を窓枠１１の上部若しくは下部又は上部と下部との両方に取り付けた、請求項１〜請求項５のいずれか１項に記載のものである。
【００３５】
クレセント１３は、戸締りに関する重要なものである。クレセントト１３は、引違い窓を戸締りのため、動かなくし、互いに密着させて風雨を通さなくするものである。コの字形に曲げたクレセント受１３１とこれに引っ掛けて半円状に回す三日月形のクレセント勝手１３２とで構成する。既製品を使用すると、不透明であるため、クレセント１３を目障りになる中央部から、上部若しくは下部又は上部と下部との両方に移動させて、取り付けたものである。
【００３６】
請求項７に係る窓用のクレセント１３は、噛み合わせ部の部品を金属で構成し、他の部品を透明なプラスチックで構成したものである。他の部品を単に透明なプラスチックに変更しただけのものではない。透明なプラスチックに変えることにより、窓外の景観を見るとき目障りになる部分を少しでも減らす効果がある。
【００３７】
噛み合わせ部の部品とは、クレセント受１３１及びクレセント勝手１３２をいう。他の部品とは、クレセントを開け閉めする柄１３３等をいう。
【００３８】
請求項８に係る窓用のクレセント１３は、全ての部品を透明なプラスチックで構成したものである。
【００３９】
噛み合わせ部の部品即ちクレセント受１３１及びクレセント勝手１３２は、強度・耐久性が必要なので、強度大の材質のプラスチックを選び、部品の厚さを大にする等形状も考慮する。噛み合わせ部以外の部品は、柄１３３である。
【００４０】
請求項９に係る微着色材シート８は、片面に粘着剤８１を塗布した、微着色した透明な薄いシートの粘着剤８１塗布面を剥離紙８２に貼り合わせた、透明な窓枠１１に貼り付け用のものである。
【００４１】
透明なプラスチックで構成した窓枠１１でも、光が通過すると、微かに色を吸収して、ガラスを通過した光と比べると、透過光が微かに薄まるという問題が生じることがある。                    
これを補うため、窓外の景観の色に応じて、微着色した透明な薄いシートを透明な窓枠に貼り付けてもよい。例えば、景観が庭木の緑色が特徴であれば、微かに淡い緑色を、景観が空の青又は海の青が特徴であれば、微かに淡い青色を、景観が朝焼け又は夕焼けの赤が特徴であれば、微かに淡い赤色を付けた透明な薄いシートを貼りつける。貼り付けるために、片面に粘着剤を塗布しておく。
【発明の効果】
【００４２】
請求項１の発明は、窓枠１１が透明なので、窓外の景観が従来の窓枠１１のように、不透明な窓枠１１で区切られることなく、あたかも横長又は縦長の一幅の絵のように幅広く見えるという効果がある。縦長というのは、上げ下げ窓、オーニング窓のように、窓障子が縦方向に並んでいる場合である。
【００４３】
請求項2の発明は、窓枠１１が透明なので、窓外の景観が従来の窓枠１１のように不透明な窓枠１１で区切られることなく、あたかも横長又は縦長の一幅の絵のように幅広く見えるという効果がある。
【００４４】
請求項３の発明は、窓障子の移動方向に垂直な方向の窓枠１１が透明なので、窓外の景観が従来の窓枠１１のように不透明な窓枠１１で区切られることなく、あたかも横長又は縦長の一幅の絵のように幅広く見えるという効果がある。更に、窓障子の移動方向に平行な方向の窓枠１１には、従来技術の窓枠１１を使用できるので、生産効率が向上し、柱や壁によくあった窓枠１１を使用できるという効果がある。
【００４５】
請求項４の発明は、窓障子の隣接した窓枠１１又はこれに平行な窓枠が透明なので、引違い窓や折畳み窓では垂直方向の窓枠が透明であり、オーニング窓では水平方向の窓枠が透明である。従って、窓外の景観が従来の窓枠１１のように不透明な窓枠１１で区切られることなく、あたかも横長又は縦長の一幅の絵のように幅広く見えるという効果がある
【００４６】
請求項５の発明は、透明な窓枠１１の角に丸みが付いているので、窓外の景観を見たときに、窓枠１１の角が目立ちにくいという効果がある。
【００４７】
請求項６の発明は、窓枠１１が透明なときに、クレセント１３を上部若しくは下部又は上部と下部との両方に取り付けているので、やや目障りになるものが視界の中央部になくなり、クレセント１３が中央部に付いた通常のものに比べて、景観がより一層よく見えるという効果がある。
【００４８】
請求項７の発明は、噛み合せ部の部品を金属で構成し、他の部品を透明なプラスチックで構成した窓用のクレセントなので、クレセントが目立ちにくいという効果がある。
【００４９】
請求項８の発明は、全ての部品を透明なプラスチックで構成した窓用のクレセントであるので、クレセントが目立たないという効果がある。
【００５０】
請求項９に係る微着色材シート８は、透明な窓枠１１に貼り付けると、その微着色した色により、青空の色、庭の緑の色、朝日・夕日の色を補うという効果がある。
【図面の簡単な説明】
【００５１】
【図１】実施例１の透明な窓枠１１を示す、斜視図及び断面斜視図である。
【図２】実施例2の透明な窓枠１１を示す斜視図である。
【図３】実施例３の上げ下げ窓の透明な窓枠１１を示す側面図である。
【図４】実施例４の透明な窓枠１１を示す、断面斜視図及び断面図である。
【図５】実施例５及び実施例６のクレセント１３を示す斜視図である
【図６】実施例７の微着色材シート８を示す断面斜視図及び概念図である。
【発明を実施するための形態】
【００５２】
窓外の景観を不透明な窓枠１１によって区切られることなく、あたかも横長又は縦長の一幅の絵のように幅広く見えるようにするという目的を窓枠１１を透明にすることにより実現した。
【実施例１】
【００５３】
実施例１の透明な窓枠を図1に基づいて説明する。図1の（Ａ）は、従来技術の窓枠で作られた引違い窓１及び室内を示す斜視図である。４枚構成の引違い窓１の窓枠１１は、不透明で全体は、目の字を横にしたものに枠を１つ追加した形になっている。クレセント１３は、中央部に付いている。
【００５４】
引違い窓１の左右の横に、壁２があり、下に床３があり、上に天井４がある。引違い窓１の上にも壁２がある。
【００５５】
図1の（Ｂ）は、本発明の透明な窓枠１１で作られた引違い窓１及び室内を示す斜視図である。（Ａ）の従来技術の窓枠１１では、クレセント１３は、中央部に付いているが、（Ｂ）の本発明の窓枠１１では、クレセント１３は、上部及び下部に付いている。クレセント１３は不透明なので、目障りにならないようにしたものである。クレセント１３は、上部又は下部のどちらか一方にしてもよい。右端の窓には、中段に水平方向の窓枠１１がある。通常、中段には水平方向の窓枠は付けないが、上に透明なガラス、下に型押しガラスをはめたり、網戸にするときに、中段に窓枠を付けることがある。この中段の窓枠も透明にしてもよい。
【００５６】
（Ｃ）に示すように、窓ガラス１２を透明な窓枠１１に取り付けるため、窓ガラス１２と窓枠１１との間に目地材１４をはめる。目地材１４は、従来技術では、着色した弾性のある押出成形物を使用しているが、本発明では、ＥＶＡ、可塑剤配合のＰＶＣ等の透明で弾性のあるプラスチックの押出成形物を使用する。形状は、従来技術のものと同じでよい。目地材１４により、窓ガラス１２は窓枠１１に気密に取り付けられ、雨風は室内に入らない。実施例１の透明な窓枠は、窓外の景観が横長の一幅の絵のように、幅広く見えるという効果がある。
【実施例２】
【００５７】
実施例２の透明な窓枠を図2に基づいて説明する。図2は、本発明の窓枠１１で作られた引違い窓１及び室内を示す斜視図である。実施例２のものは、垂直方向の窓枠１１は、透明であるが、水平方向の窓枠１１は、不透明な窓１である。その他は、実施例１のものと同じである。
【００５８】
水平方向の窓枠１１は、不透明でも窓全体からみれば、景観の見え方に大差ないので、不透明のままとし、垂直方向の窓枠１１のみを透明にしたものである。
【００５９】
実施例２の透明な窓枠は、窓外の景観が横長の一幅の絵のように、幅広く見えるという効果の他に、水平方向の窓枠１１には、従来技術の窓枠１１が使用できるので、生産効率が向上するという効果がある。
【実施例３】
【００６０】
実施例３の透明な窓枠を図３に基づいて説明する。図３は、上げ下げ窓を示す側面図である。上げ下げ窓は、2枚の窓障子が上下に並び、窓障子が上下に可動のものである。（Ａ）は、従来の上げ下げ窓の閉めた状態を示す。２枚の窓障子が上下に並んでいるので、日の字形のようになる。
【００６１】
（Ｂ）は、従来の上げ下げ窓の下の窓障子を少し開けかけた状態を示す。上げ下げ窓の説明図のようなものである。
【００６２】
（Ｃ）は、本発明の上げ下げ窓の閉めた状態を示す。窓枠１１を全部透明にしたものを示す。点線は、透明な窓枠１１を示す。
【００６３】
（Ｄ）は、本発明の上げ下げ窓の窓枠１１の内の互いに隣接する窓枠(水平方向の窓枠)１１のみを透明にしたものの閉めた状態を示す。点線は、透明な窓枠１１を示す。互いに隣接した窓枠１１を透明にしたので、窓の状態が、日の字形から口の字形を上下に長く伸ばしたような形になる。実質的には、窓枠１１全体を透明にしたものと大差ない。
【００６４】
実施例３の透明な窓枠は、窓外の景観が縦長の一幅の絵のように、幅広く見えるという効果の他に、垂直方向の窓枠１１は、従来技術の窓枠１１が使用できるので、生産効率が向上するという効果がある。
【実施例４】
【００６５】
実施例４の透明な窓枠を図４に基づいて説明する。図４の（Ａ）は、角部１１１の全てに丸みを付けた窓枠１１を示す断面斜視図である。角部１１１に丸みを付けた他は、実施例１のものと同じである。
【００６６】
（Ｂ）は、垂直方向の窓枠１１で、柱５に接するものの断面図である。柱５に接する面の角部１１１には、丸みを付けていない。柱５に接するので、角部１１１を目立ちにくくするための丸みは付ける必要がないので丸みを付けていない。
【００６７】
（Ｃ）は、水平方向の下部の窓枠１１で、敷居６に接するものの断面図である。敷居６に接する面には、丸みは必要ないので、丸みを付けていない。下面は、敷居６のレール６１に接している。
【００６８】
（Ｄ）は水平方向の上部の窓枠１１で、鴨居７に接するものの断面図である。鴨居７に接する面には、丸みは必要ないので、丸みを付けていない。上面は、鴨居７のレール７１に接している。実施例４の透明な窓枠は、透明な窓枠１１の角に丸みが付いているので、窓外の景観を見たときに、窓枠１１の角が目立ちにくいという効果がある。
【実施例５】
【００６９】
実施例５のクレセント１３は、締め具は金属で、他の部品は透明なプラスチックである。これを図５に基づいて説明する。図５の（Ａ）は、クレセント受１３１を示す斜視図である。クレセント受１３１は、コの字形の部分に下記に示すクレセント勝手１３２を掛けるものである。クレセント受１３１は、金属製である。
【００７０】
図５の（Ｂ）は、クレセント勝手１３２を示す斜視図である。クレセント勝手１３２は、三日月状の形状をした締め具で、先端部をクレセント受１３１のコの字形の部分に掛けて、半円状に回して、窓枠１１を締めるものである。クレセント勝手１３２は、金属製である。
【００７１】
図５のクレセント受１３１及びクレセント１３２勝手は、基本的なものを示す。これを変形したものでも、コの字形の部分に、半円状の掛け部を掛けるものであればよい。
【００７２】
実施例５のクレセント１３は、締め具部分即ちクレセント受１３１及びクレセント勝手１３２が金属製なので、強度・耐久性面で問題ない。他の部品即ち柄１３３は透明なプラスチックである。締め具部分が金属製なので、丈夫であり、柄の部分が透明なので、クレセントが目立ちにくいという効果がある。
【実施例６】
【００７３】
実施例６の透明なクレセント１３を図５に基づいて説明する。実施例５と同様に、図５の（Ａ）は、クレセント受１３１を示す斜視図である。クレセント受１３１は、コの字形の所に下記に示すクレセント勝手１３２を掛けるものである。クレセント受１３１は、透明なプラスチック製である。強度大のプラスチックを選ぶ。もしも、強度面で問題がある場合は、厚さを大にするなど、形状で対策してもよい。
【００７４】
図５の（Ｂ）は、クレセント勝手１３２を示す斜視図である。クレセント勝手１３２は、三日月状の形状をした締め具で、先端部をクレセント受１３１のコの字形の所に掛けて、半円状に回して、窓１を締めるものである。クレセント勝手１３２は、透明なプラスチック製である。強度大のプラスチックを選ぶ。もしも、強度面で問題がある場合は、厚さを大にするなど、形状で対策してもよい。
【００７５】
実施例５と同様、基本的に同じものであれば、変形したもので差し支えない。
【００７６】
実施例６の透明なクレセント１３は、全部品が透明なので、クレセント１３が目立ちにくく、窓枠の中央部に取り付けてもよいという効果がある。
【実施例７】
【００７７】
実施例７の微着色材シート８を図６に基づいて説明する。図６の（Ａ）は、透明な窓枠１１に微着色材シート８を貼り付けたところを示す断面斜視図である。微着色シート８は、微着色した透明な薄いシートで片面に粘着剤８１を塗布し、剥離紙８１を貼り合わせたものである。
【００７８】
図６の（Ｂ）は、微着色材シート８の構造を示す概念図である。微着色した透明な薄い微着色材シート８の片面に粘着剤８１を塗布し、その下に剥離紙８２を貼り付けたものである。使い方は、必要な大きさに切った後、剥離紙８１を剥がして、透明な窓枠１１に貼り付ける。
【００７９】
実施例７の微着色材シート８は、透明な窓枠１１によって微かに色が吸収され、色が微かに薄まったものを、透明な窓枠１１に微着色材シート８を貼り付けることにより、微かに色を補い、元の色に近づけるというものである。微着色の色は、窓外の景観の色により、選択する。例えば、庭の木々の緑が見事なときは、微かな緑色を付け、空の色や海の色が特徴であるときは、微かな青色を付け、朝焼けや夕焼けが格別なときは、微かな赤色を付ける。微着色材シート８は、微着色した色により、元の色を補うという効果がある。
【産業上の利用可能性】
【００８０】
本発明の透明な窓枠１１及び透明なクレセント１３は、現在使用されている通常の窓枠１１及びクレセン１３に換えて、適用できる。微着色材シート８は、本発明の透明な窓枠１１の効果を更に向上させるために使用できる。
【符号の説明】
【００８１】
１………窓
１１……窓枠
１１１…角部
１２……窓ガラス
１３……クレセント
１３１…クレセント受
１３２…クレセント勝手
１３３…柄
１４……目地材
２………壁
３………床
４………天井
５………柱
６………敷居
６１……レール
７………鴨居
７１……レール
８………微着色材シート
８１……粘着剤
８２……剥離紙
【図１】
2015190104.tif 000003
【図２】
2015190104.tif 000004
【図３】
2015190104.tif 000005
【図４】
2015190104.tif 000006
【図５】
2015190104.tif 000007
【図６】
2015190104.tif 000008
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
透明な材料で構成した透明な窓枠（１１）。
【請求項２】
透明な材料が透明なプラスチックである、請求項１に記載の透明な窓枠（１１）。
【請求項３】
窓障子の移動方向に平行な方向の窓枠（１１）を不透明にした、請求項１又は請求項２に記載の透明な窓枠（１１）。
【請求項４】
連続した窓障子の隣接した窓枠（１１）に垂直な窓枠（１１）を不透明にした、請求項１又は請求項２に記載の透明な窓枠（１１）。
【請求項５】
窓枠（１１）の角に丸みを付けた、請求項１〜請求項４のいずれか１項に記載の透明な窓枠（１１）。
【請求項６】
クレセント（１３）を窓枠（１１）の上部若しくは下部又は上部と下部との両方に取り付けた、請求項１〜請求項５のいずれか１項に記載の透明な窓枠（１１）。
【請求項７】
噛み合せ部の部品を金属で構成し、他の部品を透明なプラスチックで構成した窓用のクレセント（１３）。
【請求項８】
全ての部品を透明なプラスチックで構成した窓用のクレセント（１３）。
【請求項９】
片面に粘着剤（８１）を塗布した、微着色した透明な薄いシートの粘着剤（８１）塗布面を剥離紙（８２）に貼り合わせた、透明な窓枠（１１）に貼付け用の微着色材シート（８）。
【請求項１０】
弾性を有する透明なプラスチックの押出成形物で構成した目地材（１４）。
【請求項１１】
弾性を有する透明なプラスチックが、ＥＶＡ、可塑剤配合のＰＶＣである、請求項１０に記載の目地材（１４）。